(57)【要約】【課題】所定のスケジュール通りに映像の表示を行うことができる投射型映像表示装置を実現する。【解決手段】ランプ３の点灯時間と消灯時間とが組み合わされてなるタイムテーブルに基づき、プロジェクタ１００が、そのランプ３の点灯と消灯を切り替え、スクリーンＳに映像を表示することと、非表示とすることとを切り替えることによって、所定のスケジュール通りに映像の表示を行うことを可能とするとともに、スクリーンＳに映像を表示しない際にはランプ３を消灯することによって、電気エネルギーを節約することを可能にした。【選択図】図１
2007178635.tif 000002
【特許請求の範囲】
【請求項１】
光源ランプが出力する光に基づきスクリーンに映像を投射して表示する投射型映像表示装置であって、
前記スクリーンに映像を表示する所定のスケジュールに応じて、予め設定された前記光源ランプの点灯時間と消灯時間とが組み合わされてなる基本タイムテーブルを記憶する記憶手段と、
前記記憶手段が記憶する前記基本タイムテーブルにおける前記点灯時間及び／又は前記消灯時間を変更し、所望するタイムテーブルを設定するタイムテーブル設定手段と、
前記タイムテーブル設定手段により設定された前記タイムテーブルに基づき、前記光源ランプの点灯と消灯を切り替えるランプ制御手段と、
現在時刻を特定するための時計時刻計時手段と、
前記ランプ制御手段による前記光源ランプのオン／オフ制御を実行する開始時刻を設定するランプ制御開始時刻設定手段と、を備え、
前記ランプ制御手段は、前記ランプ制御開始時刻設定手段により設定された前記開始時刻と、前記タイムテーブルとを関連付けて前記光源ランプの点灯時刻と消灯時刻を取得するとともに、前記点灯時刻に前記光源ランプを点灯し、前記消灯時刻に前記光源ランプを消灯するように、前記光源ランプの点灯と消灯を切り替えることを特徴とする投射型映像表示装置。
【請求項２】
光源ランプが出力する光に基づきスクリーンに映像を投射して表示する投射型映像表示装置であって、
前記スクリーンに映像を表示する所定のスケジュールに応じたタイムテーブルを記憶する記憶手段と、
前記記憶手段に記憶されるタイムテーブルに基づき、前記光源ランプの点灯と消灯を切り替えるランプ制御手段と、
を備えることを特徴とする投射型映像表示装置。
【請求項３】
前記記憶手段は、予め設定された前記光源ランプの点灯時間と消灯時間とが組み合わされてなる基本タイムテーブルを記憶し、
前記記憶手段が記憶する前記基本タイムテーブルにおける前記点灯時間及び／又は前記消灯時間を変更し、所望するタイムテーブルを設定するタイムテーブル設定手段を備えることを特徴とする請求項２に記載の投射型映像表示装置。
【請求項４】
現在時刻を特定するための時計時刻計時手段と、
前記ランプ制御手段による前記光源ランプのオン／オフ制御を実行する開始時刻を設定するランプ制御開始時刻設定手段と、を備え、
前記ランプ制御手段は、前記ランプ制御開始時刻設定手段により設定された前記開始時刻と、前記タイムテーブルとを関連付けて前記光源ランプの点灯時刻と消灯時刻を取得するとともに、前記点灯時刻に前記光源ランプを点灯し、前記消灯時刻に前記光源ランプを消灯するように、前記光源ランプの点灯と消灯を切り替えることを特徴とする請求項２又は３に記載の投射型映像表示装置。
【請求項５】
所定の外部機器で設定されたタイムテーブルの入力を受け付けるタイムテーブルデータ入力手段を備え、前記タイムテーブルデータ入力手段に入力されたタイムテーブルは前記記憶手段に記憶されることを特徴とする請求項１〜４のいずれか一項に記載の投射型映像表示装置。
【発明の詳細な説明】
【技術分野】
【０００１】
本発明は、投射型映像表示装置に関する。
【背景技術】
【０００２】
従来、光源から出射された光をＤＭＤ等の光学素子により変調し、光学レンズを通してスクリーン上に投射することにより映像等を表示するプロジェクタなどの投射型映像表示装置が知られている。
【０００３】
そして、プロジェクタによる映像表示を行いつつ、複数の発表者が所定のスケジュールに従って様々な発表やプレゼンテーションを行う際に、各発表者がそれぞれの制限時間内にその発表を収める目安とするために、現在時刻、発表経過時間、残り時間等を映像とともにスクリーンに投射して表示するプロジェクタが知られている（例えば、特許文献１参照）。
また、発表者がプロジェクタを操作するために携帯するリモートコントロール装置（リモコン）の表示部に現在時刻、発表経過時間、残り時間等を表示するプレゼンテーションシステムが知られている（例えば、特許文献２参照）。
【０００４】
また、所定の映像を所定時間表示する際に、所定の映像の表示タイミングに応じてその映像に対応する静止画やテキスト文の表示／非表示を切り替える映像表示装置が知られている（例えば、特許文献３参照。）。
【特許文献１】特開２００１−１０９０６４号公報
【特許文献２】特開２００３−１６２２７４号公報
【特許文献３】特開平１０−２７５２１０号公報
【発明の開示】
【発明が解決しようとする課題】
【０００５】
しかしながら、上記特許文献１、特許文献２の場合、発表者が発表に関する制限時間を認識し、発表開始後の経過時間を把握していても、制限時間以上に発表が延びてしまったり、制限時間より早く発表が終了してしまったりすることがあり、予定されていたタイムテーブル通りに発表が進行しないことがあるという問題があった。
【０００６】
また、上記特許文献３の場合、映像表示装置において所定の映像を所定時間表示する間に、その映像に対応する静止画やテキスト文を表示することはできるが、所定のタイムテーブルに沿って、各発表者が映像の表示に合わせてスムーズに発表の進行を行うという、上記特許文献１、特許文献２における課題を解決することはできなかった。
【０００７】
本発明の目的は、所定のスケジュール通りに映像の表示を行うことができる投射型映像表示装置を提供することである。
【課題を解決するための手段】
【０００８】
以上の課題を解決するため、請求項１記載の発明は、光源ランプが出力する光に基づきスクリーンに映像を投射して表示する投射型映像表示装置であって、前記スクリーンに映像を表示する所定のスケジュールに応じて、予め設定された前記光源ランプの点灯時間と消灯時間とが組み合わされてなる基本タイムテーブルを記憶する記憶手段と、前記記憶手段が記憶する前記基本タイムテーブルにおける前記点灯時間及び／又は前記消灯時間を変更し、所望するタイムテーブルを設定するタイムテーブル設定手段と、前記タイムテーブル設定手段により設定された前記タイムテーブルに基づき、前記光源ランプの点灯と消灯を切り替えるランプ制御手段と、現在時刻を特定するための時計時刻計時手段と、前記ランプ制御手段による前記光源ランプのオン／オフ制御を実行する開始時刻を設定するランプ制御開始時刻設定手段と、を備え、前記ランプ制御手段は、前記ランプ制御開始時刻設定手段により設定された前記開始時刻と、前記タイムテーブルとを関連付けて前記光源ランプの点灯時刻と消灯時刻を取得するとともに、前記点灯時刻に前記光源ランプを点灯し、前記消灯時刻に前記光源ランプを消灯するように、前記光源ランプの点灯と消灯を切り替えることを特徴とする。
【０００９】
請求項２記載の発明は、光源ランプが出力する光に基づきスクリーンに映像を投射して表示する投射型映像表示装置であって、前記スクリーンに映像を表示する所定のスケジュールに応じたタイムテーブルを記憶する記憶手段と、前記記憶手段に記憶されるタイムテーブルに基づき、前記光源ランプの点灯と消灯を切り替えるランプ制御手段と、を備えることを特徴とする。
【００１０】
請求項３記載の発明は、請求項２に記載の投射型映像表示装置において、前記記憶手段は、予め設定された前記光源ランプの点灯時間と消灯時間とが組み合わされてなる基本タイムテーブルを記憶し、前記記憶手段が記憶する前記基本タイムテーブルにおける前記点灯時間及び／又は前記消灯時間を変更し、所望するタイムテーブルを設定するタイムテーブル設定手段を備えることを特徴とする。
【００１１】
請求項４記載の発明は、請求項２又は３に記載の投射型映像表示装置において、現在時刻を特定するための時計時刻計時手段と、前記ランプ制御手段による前記光源ランプのオン／オフ制御を実行する開始時刻を設定するランプ制御開始時刻設定手段と、を備え、前記ランプ制御手段は、前記ランプ制御開始時刻設定手段により設定された前記開始時刻と、前記タイムテーブルとを関連付けて前記光源ランプの点灯時刻と消灯時刻を取得するとともに、前記点灯時刻に前記光源ランプを点灯し、前記消灯時刻に前記光源ランプを消灯するように、前記光源ランプの点灯と消灯を切り替えることを特徴とする。
【００１２】
請求項５記載の発明は、請求項１〜４のいずれか一項に記載の投射型映像表示装置において、所定の外部機器で設定されたタイムテーブルの入力を受け付けるタイムテーブルデータ入力手段を備え、前記タイムテーブルデータ入力手段に入力されたタイムテーブルは前記記憶手段に記憶されることを特徴とする。
【発明の効果】
【００１３】
請求項１記載の発明によれば、投射型映像表示装置は、予め設定された光源ランプの点灯時間と消灯時間とが組み合わされてなる基本タイムテーブルに基づいて光源ランプの点灯と消灯を切り替え、スクリーンに映像を表示することと、非表示とすることとを切り替えることができる。
また、その基本タイムテーブルにおける点灯時間と消灯時間の少なくとも一方を変更し、所望するタイムテーブルを設定することができるので、所望するタイムテーブルを容易に作成することができる。つまり、発表者の人数や、各発表時間が異なるような場合でも、基本タイムテーブルに基づき所望するタイムテーブルを設定することによって、投射型映像表示装置は、様々なスケジュール、タイムテーブルに対応する映像表示を行うことができる。
【００１４】
つまり、投射型映像表示装置は、自動的に光源ランプのオン／オフ（点灯／消灯）を切り替えることによって、設定されたタイムテーブルに沿うように、所定のスケジュール通りに映像の表示を行うことができる。
そして、投射型映像表示装置による映像表示を行いつつ、複数の発表者が発表などを行う際に、スクリーンに表示する映像を自動的に切り替えることができるので、発表者が発表を開始する際に光源ランプを点灯させたり、発表終了時に光源ランプを消灯させたりするような、投射型映像表示装置を操作する手間を省くことができる。
また、例えば、各発表者に与えられた発表時間である制限時間を経過した場合に、光源ランプが自動的かつ強制的に消灯して映像を非表示とすることにより、その発表を終了させることができるので、予定のスケジュール通りにその発表をスムーズに進行させることができる。
また、投射型映像表示装置は、スクリーンに映像を表示しない際に、光源ランプを消灯するので、電気エネルギーを節約することができる。
【００１５】
特に、投射型映像表示装置は、光源ランプのオン／オフ制御を実行する開始時刻を設定することができるので、その設定された開始時刻とタイムテーブルとを関連付けて光源ランプの点灯時刻と消灯時刻を取得することができる。
そして、現在時刻を特定しつつ、その点灯時刻に光源ランプを点灯し、消灯時刻に光源ランプを消灯するように、光源ランプの点灯と消灯を切り替えることで、スクリーンに映像を表示することと、非表示とすることとを切り替えることができる。
つまり、光源ランプのオン／オフ制御を実行する開始時刻が設定されると、光源ランプの点灯時間と消灯時間を有するタイムテーブルに基づき、光源ランプが点灯する点灯時刻と光源ランプが消灯する消灯時刻が得られるので、時計の時刻に応じて光源ランプの点灯と消灯を切り替え、映像の表示と非表示を切り替えることができる。
よって、時計の時刻刻みのタイムテーブルに従うように、映像の表示を行うことができるので、発表者が発表を行う時間・時刻を把握しやすくなる。
【００１６】
請求項２記載の発明によれば、投射型映像表示装置は、記憶手段に記憶されるタイムテーブルに基づいて光源ランプの点灯と消灯を切り替え、スクリーンに映像を表示することと、非表示とすることとを切り替えることができる。
つまり、投射型映像表示装置は、自動的に光源ランプのオン／オフ（点灯／消灯）を切り替えることによって、予め設定されたタイムテーブルに沿うように、所定のスケジュール通りに映像の表示を行うことができる。
そして、投射型映像表示装置による映像表示を行いつつ、複数の発表者が発表などを行う際に、スクリーンに表示する映像を自動的に切り替えることができるので、発表者が発表を開始する際に光源ランプを点灯させたり、発表終了時に光源ランプを消灯させたりするような、投射型映像表示装置を操作する手間を省くことができる。
また、例えば、各発表者に与えられた発表時間である制限時間を経過した場合に、光源ランプが自動的かつ強制的に消灯して映像を非表示とすることにより、その発表を終了させることができるので、予定のスケジュール通りにその発表をスムーズに進行させることができる。
また、投射型映像表示装置は、スクリーンに映像を表示しない際に、光源ランプを消灯するので、電気エネルギーを節約することができる。
【００１７】
請求項３記載の発明によれば、請求項２に記載の発明と同様の効果が得られることは無論のこと、投射型映像表示装置は、予め設定された光源ランプの点灯時間と消灯時間とが組み合わされてなる基本タイムテーブルを記憶しているので、その基本タイムテーブルに沿ったスケジュールに従う映像の表示を行うことができる。
また、その基本タイムテーブルにおける点灯時間と消灯時間の少なくとも一方を変更し、所望するタイムテーブルを設定することができるので、所望するタイムテーブルを容易に作成することができる。つまり、発表者の人数や、各発表時間が異なるような場合でも、基本タイムテーブルに基づき所望するタイムテーブルを設定することによって、投射型映像表示装置は、様々なスケジュール、タイムテーブルに対応する映像表示を行うことができる。
【００１８】
請求項４記載の発明によれば、請求項２又は３に記載の発明と同様の効果が得られることは無論のこと、投射型映像表示装置は、光源ランプのオン／オフ制御を実行する開始時刻を設定することができるので、その設定された開始時刻とタイムテーブルとを関連付けて光源ランプの点灯時刻と消灯時刻を取得することができる。
そして、現在時刻を特定しつつ、その点灯時刻に光源ランプを点灯し、消灯時刻に光源ランプを消灯するように、光源ランプの点灯と消灯を切り替えることで、スクリーンに映像を表示することと、非表示とすることとを切り替えることができる。
つまり、光源ランプのオン／オフ制御を実行する開始時刻が設定されると、光源ランプの点灯時間と消灯時間を有するタイムテーブルに基づき、光源ランプが点灯する点灯時刻と光源ランプが消灯する消灯時刻が得られるので、時計の時刻に応じて光源ランプの点灯と消灯を切り替え、映像の表示と非表示を切り替えることができる。
よって、時計の時刻刻みのタイムテーブルに従うように、映像の表示を行うことができるので、発表者が発表を行う時間・時刻を把握しやすくなる。
【００１９】
請求項５記載の発明によれば、請求項１〜４のいずれか一項に記載の発明と同様の効果が得られることは無論のこと、投射型映像表示装置は、所定の外部機器で設定されたタイムテーブルの入力を受け付けて、そのタイムテーブルを記憶手段に記憶することができる。
つまり、投射型映像表示装置は、タイムテーブルなどのデータを作成する操作性のよいパーソナルコンピュータなどの外部機器において設定されたタイムテーブルを利用し、光源ランプのオン／オフ制御を実行することができるので、投射型映像表示装置における操作スイッチなどを操作することによってタイムテーブルを設定することに比べて、様々なタイムテーブルを容易に作成、設定することが可能になるとともに、様々なタイムテーブルに従った動作制御を行うことをより容易に行うことが可能になる。
また、その外部機器により、タイムテーブルの修正や変更も容易に行うことができる。
【発明を実施するための最良の形態】
【００２０】
以下、図面を参照して本発明に係る投射型映像表示装置の実施の形態について詳細に説明する。なお、投射型映像表示装置は、パーソナルコンピュータやビデオカメラなどから入力された画像データに基づき光学像を形成し、その形成した光学像を前方に設けられたスクリーンなどに拡大して投影することによって映像を表示する装置である。
【００２１】
図１は、本発明に係る投射型映像表示装置１００（以下、プロジェクタ１００）を示す斜視図であり、図２は、プロジェクタ１００の要部構成を示すブロック図である。
【００２２】
プロジェクタ１００は、図１、図２に示すように、画像データが入力される映像入力部１と、プロジェクタを操作するための複数の操作スイッチを有する操作部２と、高輝度の光を出射する光源ランプ３（以下、ランプ３）と、ランプ３から出射された光が入射されるＤＭＤ（Digital Micromirror Device）画像形成素子４（以下、ＤＭＤ４）と、ＤＭＤ４により反射された光が通過するレンズ５と、プロジェクタ１００を操作するリモコン１０と通信を行うための通信部７と、プロジェクタの各種動作や処理を制御する制御部６等を備えている。
なお、ランプ３やＤＭＤ４、制御部６は、プロジェクタ１００の筐体８の内部に収容されており、映像入力部１や操作部２、レンズ５、通信部７は、筐体８の外面側に配設されている。
【００２３】
映像入力部１は、例えば、パーソナルコンピュータやビデオカメラ等の映像出力機器と電気的に接続されるようになっており、スクリーンＳに投射する映像の画像データが、映像入力部１に接続された映像出力機器から入力されるようになっている。そして、映像入力部１は、入力された画像データを制御部６へ出力する。
また、映像入力部１は、例えば、ＵＳＢを備え、所定の外部機器であるパーソナルコンピュータなどにおいて設定されたタイムテーブルに関するデータも入力されるようになっており、入力されたタイムテーブルに関するデータを制御部６へ出力する。
【００２４】
操作部２は、図１〜図３に示すように、プロジェクタの電源のオン／オフを切り替えるパワースイッチ２１と、音声の出力を調整するボリュームスイッチ２２と、各種メニューを表示するためのメニュースイッチ２３と、スクリーンＳに投射された映像の台形歪みを補正するための操作入力を行うキーストーンスイッチ２４と、各種設定・入力を行うための上下左右スイッチ２５と、所定のタイムテーブルに従って映像の表示／非表示を自動で切り替えるプレゼンテーション（発表）用の映像表示処理動作を実行させるプレゼンスイッチ２６と、プレゼンテーション用の映像表示処理動作を実行中に映像の表示時間を延長させるための延長スイッチ２７等を備えている。
なお、ボリュームスイッチ２２は「＋」スイッチ（ｕｐキー）及び「−」スイッチ（ｄｏｗｎキー）を有しており、キーストーンスイッチ２４も図示しない「＋」スイッチ及び「−」スイッチを有している。また、上下左右スイッチ２５は上下左右方向に関する指示入力と、その中心部が押下されることによる確定や決定に関する指示入力を行うことが可能になっている。
そして、この操作部２における各種操作スイッチが押下されて入力された各種操作指示は、制御部６に出力される。
【００２５】
ランプ３は、例えば、メタルハライドランプや超高圧水銀ランプ等から構成されて高い輝度の光を出射する光源であり、プロジェクタ１００が、離れた位置に設けられたスクリーンに、より鮮明な画像や映像を投影すべく高輝度の光を出力可能になっている。
【００２６】
ＤＭＤ４は、複数のマイクロミラー素子により構成されている電子部品であり、例えば、ＣＣＤなどの撮像装置の画素に対応するように、静電吸着などによって駆動される複数の可動マイクロミラーをマトリクス状に配列したものである。そして、所定の映像出力機器から入力される画像データに基づいて各マイクロミラーを制御し、ランプ３から出射される光束の反射方向を変化させて、その光を光学変調することにより光学像を形成する。
【００２７】
レンズ５は、例えば、ズームレンズ等により構成され、ＤＭＤ４によって変調されてレンズ５側に反射された光（光学像）を集光してスクリーンＳに向けて拡大投影するものである。そして、ＤＭＤ４によってレンズ５側に反射された光束のみがスクリーンＳ上に到達し、スクリーンＳに光学像が投射・投影される。
【００２８】
通信部７は、リモコン１０と所定の信号の送受信を行うことにより、プロジェクタ１００とリモコン１０の間で各種データの授受を行う。
例えば、通信部７は、リモコン１０から送信されるプロジェクタの操作に関する各種信号を受信し、その受信した各種信号を制御部６に送出する。
また、通信部７は、プロジェクタ１００の制御部６がリモコン１０に向けて出力する各種信号を、リモコン１０に対して発信する。
なお、通信部７は、所定の外部機器であるパーソナルコンピュータなどにおいて設定されたタイムテーブルに関するデータも入力されるようになっており、入力されたタイムテーブルに関するデータを制御部６へ出力する。
【００２９】
リモコン１０は、プロジェクタ１００を離間した位置から操作するための操作装置であり、操作部２が有する各種操作スイッチと同様のスイッチやキーを備えている。
【００３０】
制御部６は、例えば、半導体集積回路等により構成され、映像入力部１から入力された画像データに基づく映像をスクリーンＳに投射させるために、プロジェクタ１００の各部を制御する。
制御部６は、図２に示すように、ＣＰＵ６１、ＲＡＭ６２、記憶手段としての記憶部６３等を備えている。
【００３１】
ＣＰＵ６１は、記憶部６３に格納された処理プログラムや各種データ等を読み出して、ＲＡＭ６２に展開して実行することにより、プロジェクタ１００全体の制御を行う。
【００３２】
ＲＡＭ６２は、ＣＰＵ６１により実行される処理プログラム等をＲＡＭ６２内のプログラム格納領域に展開するとともに、操作部２から入力される操作指示データや、上記処理プログラムが実行される際に生じる処理結果等をワークエリアに格納する。
【００３３】
記憶部６３は、例えば、半導体メモリ等で構成されている記録媒体（図示省略）を有しており、この記録媒体には予めプログラムやデータ等が記憶されている。
そして、記憶部６３は、ＣＰＵ６１がプロジェクタ１００全体を制御する機能を実現させるための各種データ、各種処理プログラム、これらプログラムの実行により処理されたデータ等を記憶する。より具体的には、記憶部６３は、例えば、図２に示すように、タイムテーブルデータ６３ａ、ランプ制御プログラム６３ｂ、ＯＳＤ表示（On Screen Display）に関するＯＳＤデータ６３ｃ、投射プログラム６３ｄ、ＯＳＤ表示プログラム６３ｅ、操作指示実行プログラム６３ｆ等を格納している。
【００３４】
タイムテーブルデータ６３ａは、ランプ３を点灯させる点灯時間とランプ３を消灯させる消灯時間とが組み合わされてなる、ランプ３の点灯と消灯を切り替えるためのタイムテーブルに関するデータであり、プロジェクタ１００が映像の表示／非表示を自動で切り替えるプレゼンテーション（発表）用の映像表示処理動作を実行する際にランプ３の点灯と消灯を自動的に切り替えるタイミングの基準とするデータである。
タイムテーブルデータ６３ａは、予め設定されたランプ３の点灯時間と消灯時間とが組み合わされてなる基本タイムテーブルと、その基本タイムテーブルにおける点灯時間や消灯時間を変更して設定した、ユーザが所望するタイムテーブル等を有している。
【００３５】
ランプ制御プログラム６３ｂは、記憶部６３に記憶されるタイムテーブルに基づき、ランプ３の点灯と消灯を切り替える制御をＣＰＵ６１に実現させるプログラムである。
【００３６】
ＯＳＤデータ６３ｃは、例えば、映像入力部１を介して入力される画像データに基づく映像に重ね合わせてスクリーンＳに投射表示されるＯＳＤ画像のデータを含んでいる。このＯＳＤ画像データとしては、操作部２の各種操作スイッチに対応する操作指示に関連つけられたアイコンデータや操作メニュー画面データ、タイムテーブル設定画面データやタイムテーブル表示画面データ等がある。
【００３７】
投射プログラム６３ｄは、例えば、ＤＭＤ４等を制御することにより、映像入力部１から入力された画像データに基づく映像をスクリーンＳに投射する機能をＣＰＵ６１に実現させるプログラムである。より具体的には、投射プログラム６３ｄは、映像入力部１から画像データが入力される場合にはその画像データに基づく映像をスクリーンＳに投射させて表示し、映像入力部１から画像データの入力がない場合には、例えば、スクリーンＳの映像表示領域に待機画面である青色画面等を投射させて表示する機能をＣＰＵ６１に実現させるプログラムである。
【００３８】
ＯＳＤ表示プログラム６３ｅは、例えば、操作スイッチが操作された際に、スクリーンＳに表示される画像データに基づく映像に、その操作された操作スイッチに対応するＯＳＤ画像データに基づくＯＳＤ画像を重ね合わせて投射表示させる機能をＣＰＵ６１に実現させるプログラムである。
【００３９】
操作指示実行プログラム６３ｆは、例えば、操作部２やリモコン１０の操作スイッチが操作された場合に、その操作スイッチに割り当てられた所定の処理を実行させる機能をＣＰＵ６１に実現させるプログラムである。
例えば、操作指示実行プログラム６３ｆは、例えば、上下左右スイッチ２５などが操作されたことによって、記憶部６３に記憶される基本タイムテーブルにおける点灯時間と消灯時間の少なくとも一方を変更し、所望するタイムテーブルを設定する機能をＣＰＵ６１に実現させるプログラムである。
また、操作指示実行プログラム６３ｆは、例えば、上下左右スイッチ２５などが操作されたことによって、ランプ３のオン／オフ制御を実行する開始時刻を入力して、ランプ制御開始時刻を設定する機能をＣＰＵ６１に実現させるプログラムである。
また、操作指示実行プログラム６３ｆは、例えば、プレゼンスイッチ２６が操作されたことによって、ランプ制御プログラム６３ｂに基づく制御をＣＰＵ６１に実現させるプログラムである。
また、操作指示実行プログラム６３ｆは、例えば、延長スイッチ２７が操作されたことによって、ランプ制御プログラム６３ｂに基づく制御の実行中、ランプ３の点灯時間を１分間延長させる制御をＣＰＵ６１に実現させるプログラムである。
【００４０】
そして、制御部６は、ＣＰＵ６１が投射プログラム６３ｄを実行することにより、映像入力部１から入力された画像データに基づく映像をスクリーンＳに投射して表示する映像表示制御手段として機能する。
【００４１】
また、制御部６は、ＣＰＵ６１がＯＳＤ表示プログラム６３ｅを実行することにより、操作部２やリモコン１０の操作スイッチに操作指示が入力されたことに伴い、スクリーンＳに表示される映像の一部に、その操作スイッチに対応する操作指示に関するＯＳＤデータ６３ｃのＯＳＤ画像データに基づくＯＳＤ画像を重ね合わせて投射表示するＯＳＤ画像表示制御手段として機能する。
【００４２】
また、制御部６は、ＣＰＵ６１がランプ制御プログラム６３ｂを実行することにより、記憶部６３に記憶されるタイムテーブルに基づき、ランプ３の点灯と消灯を切り替えて、スクリーンＳに投射する映像の表示／非表示を切り替えるランプ制御手段として機能する。
なお、ランプ制御手段としての制御部６は、後述するランプ制御開始時刻設定手段としての制御部６によって設定されたランプ制御開始時刻と、記憶部６３に記憶されるタイムテーブルとを関連付けて、ランプ３の点灯時刻と消灯時刻を取得するようにして、その点灯時刻にランプ３を点灯し、消灯時刻にランプ３を消灯するように、ランプ３の点灯と消灯を切り替える制御も実行する。
【００４３】
また、制御部６は、ＣＰＵ６１が操作指示実行プログラム６３ｆを実行することにより、例えば、タイムテーブル設定手段の一部である操作スイッチの上下左右スイッチ２５などが操作されたことによって、記憶部６３に記憶される基本タイムテーブルにおける点灯時間と消灯時間の少なくとも一方を変更し、所望するタイムテーブルを設定するタイムテーブル設定手段として機能する。なお、設定されたタイムテーブルは記憶部６３に記憶される。
【００４４】
また、制御部６は、ＣＰＵ６１が操作指示実行プログラム６３ｆを実行することにより、例えば、ランプ制御開始時刻設定手段の一部である操作スイッチの上下左右スイッチ２５などが操作されたことによって、ランプ３のオン／オフ制御を実行する開始時刻を入力して、ランプ制御開始時刻を設定するランプ制御開始時刻設定手段として機能する。
【００４５】
また、制御部６は、ＣＰＵ６１が操作指示実行プログラム６３ｆを実行することにより、例えば、プレゼンスイッチ２６が操作されたことによって、ランプ制御プログラム６３ｂに基づく制御（ランプ制御手段）を実行させるように機能する。
また、制御部６は、ＣＰＵ６１が操作指示実行プログラム６３ｆを実行することにより、例えば、延長スイッチ２７が１回押下され、操作されたことによって、ランプ制御プログラム６３ｂに基づく制御（ランプ制御手段）の実行中、ランプ３の点灯時間を１分間延長させる制御を実行させるように機能する。なお、ランプ３は一旦消灯した後、再点灯可能となるまでに約１分間かかるので、ランプ３が消灯するインターバルのタイミング（後述する「開始時間」）が少なくとも１分間となるように、そのランプ３の点灯時間を延長する処理を施すようになっている。つまり、ランプ３が消灯するインターバルのタイミングである消灯時間を１分間確保するように、その消灯時間を削り点灯時間に充てる処理を施し、ランプ３が点灯を開始する時間はずらさないようになっている。
【００４６】
また、制御部６は、制御部６が有する時計機能やカレンダー機能を利用することにより、現在の時刻や日時等を特定する時計時刻計時手段として機能する
【００４７】
また、制御部６は、ＣＰＵ６１が操作指示実行プログラム６３ｆを実行することにより、例えば、操作部２やリモコン１０のボリュームスイッチ２２が押下されて操作指示が入力されたことに伴い、音声の出力を増減する調整を行う。
また、制御部６は、ＣＰＵ６１が操作指示実行プログラム６３ｆを実行することにより、例えば、操作部２やリモコン１０のキーストーンスイッチ２４が押下されて操作指示が入力されたことに伴い、スクリーンＳ上に投射される映像の表示領域の台形歪みを補正して、スクリーンＳ上に投射される映像画面が略長方形状になるように補正処理を行う。
また、制御部６は、ＣＰＵ６１が操作指示実行プログラム６３ｆを実行することにより、例えば、操作部２やリモコン１０のメニュースイッチ２３が押下されて操作指示が入力されたことに伴い、スクリーンＳ上に投射される映像の一部に、プロジェクタの操作・設定などに関する各種メニューを表示する処理を行う。
【００４８】
また、制御部６は、所定の外部機器であるパーソナルコンピュータから映像入力部１や通信部７などを介して入力されたタイムテーブルに関するデータを記憶部６３に記憶する制御を実行する。
【００４９】
次に、プロジェクタ１００において、所望するタイムテーブルを設定する処理について説明する。
【００５０】
まず、プロジェクタ１００において操作部２の操作スイッチ等を操作することにより、タイムテーブルを設定する処理について説明する。
例えば、プロジェクタ１００の操作部２やリモコン１０が有するメニュースイッチ２３を押下し、タイムテーブルの設定に関する項目を選択することにより、図４に示すような、タイムテーブル設定・表示画面Ｇ１をスクリーンＳにＯＳＤ表示する。
図４に示すように、タイムテーブル設定・表示画面Ｇ１には、Schedule１からSchedule１０に対し、それぞれ「動作」、「開始時間」、「点灯時間」に関する設定条件入力欄Ｒ１、Ｒ２、Ｒ３が設けられている。
【００５１】
そして、上下左右スイッチ２５を操作して、所望する設定条件入力欄を指示し、その設定条件入力欄に対して設定条件を入力することができる状態とするとともに、上下左右スイッチ２５などを操作することによって、その入力欄に所望する設定条件を入力する。
例えば、「動作」に関する設定条件入力欄Ｒ１に対し、上下左右スイッチ２５による操作を施すと、設定条件入力欄Ｒ１には、“終了”と“開始”が順に切り替えられるように表示され、「動作」に関する“終了”または“開始”の設定条件が入力設定される。
なお、各Scheduleにおける「動作」に関する設定条件が“終了”と設定されている場合、そのスケジュールは実行されず、また、各Scheduleにおける「動作」に関する設定条件が“開始” と設定されている場合、そのスケジュールは実行されるようになっている。
また、「開始時間」や「点灯時間」に関する設定条件入力欄Ｒ２、Ｒ３に対し、上下左右スイッチ２５による操作を施すと、設定条件入力欄Ｒ２、Ｒ３には、それぞれの動作時間に関する数値（分、min）がアップ／ダウンするように切り替えられるように表示され、それぞれの動作時間（分、min）が入力設定される。
なお、「開始時間」は、前回（１つ前のSchedule）のランプ３の消灯後（Schedule１の場合は、スケジュール（タイムテーブル）の登録後、そのスケジュール、タイムテーブルに基づく映像の表示制御（ランプ３のオン／オフ制御）実行開始後）、何分後にランプ３の点灯を開始するかに関する設定であり、「点灯時間」はランプ３を点灯し続ける時間（ランプ３の点灯後、消灯までの時間）に関する設定である。
【００５２】
なお、当初、このタイムテーブル設定・表示画面Ｇ１に対して、記憶部６３に記憶される基本タイムテーブルに基づき、各スケジュール（Schedule）毎にランプ３の点灯時間が“１０分”、消灯時間（開始時間）が“５分”、動作が“終了”と予め設定されているので、上記設定条件入力操作により、所望する設定条件の入力を行い、所望するタイムテーブルをユーザが設定することとなっている。
そして、ランプ３の点灯時間や消灯時間（開始時間）が変更された、ユーザが所望するタイムテーブルは記憶部６３に記憶される。
【００５３】
そして、図４に示す、タイムテーブル設定・表示画面Ｇ１において設定されたタイムテーブルでは、Schedule１からSchedule３を実行することになっており、このスケジュール（タイムテーブル）の登録後、プレゼンスイッチ２６が押下されて、映像の表示制御（ランプ３のオン／オフ制御）が開始されると、その１０分後にSchedule１に対応してランプ３が点灯され、その１０分後にランプ３が消灯される。
次いで、Schedule１におけるランプ３の消灯後、５分後にSchedule２に対応してランプ３が点灯され、その１０分後にランプ３が消灯される。
次いで、Schedule２におけるランプ３の消灯後、５分後にSchedule３に対応してランプ３が点灯され、その１０分後にランプ３が消灯される。
つまり、このタイムテーブル設定・表示画面Ｇ１において設定されているタイムテーブルにおけるランプ３のオン／オフ制御によって、Schedule１からSchedule３の各スケジュールで１０分間の映像表示を行い、各スケジュール間に５分間のインターバルとなるランプ３の消灯が行われるような、映像の表示制御が実行される。
【００５４】
次に、プロジェクタ１００に接続されるパーソナルコンピュータを操作することにより、タイムテーブルを設定する処理について説明する。
例えば、プロジェクタ１００とＵＳＢを介して接続されるパーソナルコンピュータ（図示省略）におけるディスプレイなどの表示部に、図５に示すような、タイムテーブル設定・表示画面Ｇ２を表示する。
図５に示すように、タイムテーブル設定・表示画面Ｇ２には、Ｓｃｈ．１からＳｃｈ．１０に対し、それぞれ「タイトル」、「登録」、「開始時間」、「点灯時間」に関する設定条件入力欄Ｒ４、Ｒ５、Ｒ６、Ｒ７が設けられている。
また、タイムテーブル設定・表示画面Ｇ２には登録キーＸ、取り込みキーＹが設けられている。この登録キーＸをポインタＰで指示しつつクリックするなどして、そのキー操作を実行すると、パーソナルコンピュータのタイムテーブル設定・表示画面Ｇ２において設定されたタイムテーブルに関するデータをプロジェクタ１００の制御部６に出力して登録するようになっている。また、取り込みキーＹをポインタＰで指示しつつクリックするなどして、そのキー操作を実行すると、プロジェクタ１００の制御部６に登録、記憶されているタイムテーブルに関するデータをパーソナルコンピュータ側に取り込み、パーソナルコンピュータの表示部にタイムテーブル設定・表示画面として表示させ、タイムテーブルデータの変更、修正を可能にするようになっている。
【００５５】
そして、パーソナルコンピュータのマウスやキーボードを操作して、ポインタＰにより所望する設定条件入力欄を指示し、その設定条件入力欄に対して設定条件を入力することができる状態とするとともに、マウスやキーボードを操作することによって、その入力欄に所望する設定条件を入力する。
なお、このタイムテーブル設定・表示画面Ｇ２に対して、記憶部６３に記憶される基本タイムテーブルに基づき、各スケジュール（Ｓｃｈ）毎にランプ３の点灯時間が２０分、消灯時間（開始時間）が５分と予め設定されている。
【００５６】
例えば、「タイトル」に関する設定条件入力欄Ｒ４に対しては、そのスケジュール（Ｓｃｈ）に応じた任意のタイトル文を入力可能になっており、プレゼンテーションの発表者名や、開会・閉会、休憩などの所望するタイトル文や語句・文字をキーボードを操作して入力し設定する（図６参照）。
また、「登録」に関する設定条件入力欄Ｒ５に対しては、入力欄Ｒ５をポインタＰで指示しつつクリックするなどしてチェックマークを入力することにより、そのスケジュール（Ｓｃｈ）がタイムテーブルに対して有効なスケジュールであるものと設定する（図６参照）。
また、「開始時間」や「点灯時間」に関する設定条件入力欄Ｒ６、Ｒ７に対しては、任意の数値を入力可能になっており、キーボードを操作してそれぞれの設定条件入力欄Ｒ６、Ｒ７に動作時間に関する数値（分、min）を入力設定する（図６参照）。
なお、「開始時間」は、前回（１つ前のＳｃｈ．）のランプ３の消灯後（Ｓｃｈ．１の場合は、スケジュール（タイムテーブル）の登録後、そのスケジュール、タイムテーブルに基づく映像の表示制御（ランプ３のオン／オフ制御）実行開始後）、何分後にランプ３の点灯を開始するかに関する設定であり、「点灯時間」はランプ３を点灯し続ける時間（ランプ３の点灯後、消灯までの時間）に関する設定である。
そして、ランプ３の点灯時間や消灯時間（開始時間）が変更されて、タイトルが入力されて設定されたタイムテーブル（図６参照）は記憶部６３に記憶される。
【００５７】
そして、図６に示す、タイムテーブル設定・表示画面Ｇ２において設定されたタイムテーブルでは、Ｓｃｈ．１に“開会のあいさつ”、Ｓｃｈ．１０に“閉会のあいさつ”として、それぞれランプ３を１０分間点灯し、映像を１０分間表示するスケジュールが設定されている。
また、Ｓｃｈ．２からＳｃｈ．４及びＳｃｈ．６からＳｃｈ．９には“発表者によるプレゼンテーション”として、それぞれランプ３を２０分間点灯し、映像を２０分間表示するスケジュールが設定されている。なお、“発表者によるプレゼンテーション”の間である各スケジュール間には、５分間のインターバルとなるランプ３の消灯が行われるように設定されている。
また、Ｓｃｈ．５に“休憩”として、６０分間、ランプ３を消灯するように設定されている。
【００５８】
つまり、図６に示すこのタイムテーブル設定・表示画面Ｇ２において設定されているタイムテーブルに対応するランプ３のオン／オフ制御を実行すると、以下のような映像の表示制御が実行される。
まず、Ｓｃｈ．１の“開会のあいさつ”に関する映像を１０分間表示した後、ランプ３が消灯される。
そのＳｃｈ．１におけるランプ３の消灯後、５分後にＳｃｈ．２の“発表者  田中”のプレゼンテーションに関する映像を２０分間表示した後、ランプ３が消灯される。
同様にランプ３がオン／オフされる、Ｓｃｈ．３、Ｓｃｈ．４の発表者のプレゼンテーション後、Ｓｃｈ．５の“休憩”として、ランプ３が６０分間消灯される。
そのＳｃｈ．５の“休憩”後、同様にランプ３がオン／オフされる、Ｓｃｈ．６からＳｃｈ．９の発表者のプレゼンテーションが行われて、Ｓｃｈ．９におけるランプ３の消灯後、５分後に、Ｓｃｈ．１０の“閉会のあいさつ” に関する映像を１０分間表示した後、ランプ３が消灯される。
【００５９】
また、プロジェクタ１００におけるタイムテーブルを設定する処理は、図６に示すタイムテーブル設定・表示画面Ｇ２における設定処理に限られるものではない。
例えば、図６に示すタイムテーブル設定・表示画面Ｇ２におけるタイムテーブルの設定後、そのタイムテーブルに従ってプロジェクタ１００がランプ３のオン／オフ（映像の表示／非表示）を切り替えるランプ制御を実行する開始時刻（ランプ制御開始時刻）を、プロジェクタ１００において入力し設定することによって、図７に示すタイムテーブル設定・表示画面Ｇ３のように、時刻に応じてランプ３のオン／オフ制御を実行するタイムテーブルが設定される。
この図７に示すタイムテーブル設定・表示画面Ｇ３のタイムテーブルは、図６に示すタイムテーブル設定・表示画面Ｇ２におけるタイムテーブルに従ったプロジェクタ１００の映像表示動作を“１０時”から開始するように、ランプ制御開始時刻を「１０：００」と設定したものである。
【００６０】
そして、図７に示すこのタイムテーブル設定・表示画面Ｇ３において設定されているタイムテーブルに対応するランプ３のオン／オフ制御を実行すると、以下のような映像の表示制御が実行される。
まず、プレゼンスイッチ２６が押下され、「１０：００」にプロジェクタ１００の映像表示動作がスタートすると、１０分後の「１０：１０」から「１０：２０」の１０分間にＳｃｈ．１の“開会のあいさつ”に関する映像を表示して、ランプ３が消灯される。
そのＳｃｈ．１におけるランプ３の消灯後、５分後の「１０：２５」から「１０：４５」の２０分間にＳｃｈ．２の“発表者  田中”のプレゼンテーションに関する映像を表示して、ランプ３が消灯される。
同様にランプ３がオン／オフされる、Ｓｃｈ．３、Ｓｃｈ．４の発表者のプレゼンテーション後、「１１：３５」から「１２：３５」の６０分間にＳｃｈ．５の“休憩”として、ランプ３が消灯される。
そのＳｃｈ．５の“休憩”後、同様にランプ３がオン／オフされる、Ｓｃｈ．６からＳｃｈ．９の発表者のプレゼンテーションが行われて、Ｓｃｈ．９におけるランプ３の消灯後、５分後の「１４：２０」から「１４：３０」の１０分間に、Ｓｃｈ．１０の“閉会のあいさつ” に関する映像を表示して、ランプ３が消灯される。
【００６１】
なお、図７に示すタイムテーブル設定・表示画面Ｇ３は、プロジェクタ１００においてランプ制御開始時刻を「１０：００」と設定したタイムテーブルに関するデータを、パーソナルコンピュータにおける取り込みキーＹを操作したことに伴い、プロジェクタ１００の制御部６に登録、記憶されているそのタイムテーブルに関するデータをパーソナルコンピュータ側に取り込み、パーソナルコンピュータの表示部にタイムテーブル設定・表示画面として表示させたものである。
【００６２】
次に、プロジェクタ１００が所定のタイムテーブルに従ってランプ３のオン／オフ（映像の表示／非表示）を切り替えるランプ制御を実行する際の動作処理の一例について、図８に示すフローチャートに基づき説明する。
【００６３】
まず、制御部６は、プレゼンスイッチ２６が押下されたか否かを判断し（ステップＳ１０１）、制御部６が、プレゼンスイッチ２６が押下されたと判断すると（ステップＳ１０１；Ｙｅｓ）、制御部６は、プロジェクタ１００に、所定のタイムテーブルに基づき、ランプ３の点灯と消灯を切り替えて、スクリーンＳに投射する映像の表示／非表示を切り替えるランプ制御を実行させる。
そして、制御部６は、タイムテーブルにおける所定のスケジュールに対応する開始時間に達したか否か（所定のスケジュールに対応する点灯時刻となったか否か）を判断し（ステップＳ１０２）、制御部６が、開始時間に達した（点灯時刻になった）と判断すると（ステップＳ１０２；Ｙｅｓ）、制御部６はランプ３を点灯し、スクリーンＳに映像を表示する（ステップＳ１０３）。
【００６４】
次いで、制御部６は、延長スイッチ２７が押下されたか否かを判断する（ステップＳ１０４）。
制御部６が、延長スイッチ２７が押下されたと判断すると（ステップＳ１０４；Ｙｅｓ）、制御部６は、ランプ点灯時間を１分間延長する処理を施し（ステップＳ１０５）、ステップＳ１０６へ進む。
一方、制御部６が、延長スイッチ２７は押下されていないと判断すると（ステップＳ１０４；Ｎｏ）、ステップＳ１０６へ進む。
なお、このプロジェクタ１００におけるランプ制御処理においては、タイムテーブルを構成する各スケジュールにおいてランプ３が点灯を開始する時間が変わらないように、ランプ３が消灯する時間を削り、延長されるランプ点灯時間に充てるようになっている。つまり、タイムテーブルにおける各スケジュールに対応するプレゼンテーションや発表の開始時間は変わらず、そのプレゼンテーションや発表の進行を妨げないようになっている。
また、ランプ３は一旦消灯した後、再点灯可能となるまでに約１分間かかるので、ランプ３が消灯するインターバルのタイミングが少なくとも１分間となるように、点灯時間は延長される。つまり、ランプ３が消灯するプレゼンテーションや発表の間のインターバルが５分間ある場合、点灯時間の延長は最大４分間とし、ランプ消灯時間を１分間とするようになっている。
【００６５】
ステップＳ１０６において、制御部６は、タイムテーブルにおける所定のスケジュールに対応する点灯時間を経過したか否か（所定のスケジュールに対応する消灯時刻となったか否か）を判断する（ステップＳ１０６）。
制御部６が、点灯時間を経過していない（消灯時刻になっていない）と判断すると（ステップＳ１０６；Ｎｏ）、ステップＳ１０３に戻る。
一方、制御部６が、点灯時間を経過した（消灯時刻になった）と判断すると（ステップＳ１０６；Ｙｅｓ）、制御部６はランプ３を消灯し、スクリーンＳに対する映像を非表示とする（ステップＳ１０７）。
【００６６】
次いで、制御部６は、所定のタイムテーブルにおける全てのスケジュールを終了したか否かを判断する（ステップＳ１０８）。
制御部６が、所定のタイムテーブルにおける全てのスケジュールを終了していないと判断すると（ステップＳ１０８；Ｎｏ）、ステップＳ１０２に戻り、所定のタイムテーブルにおける次のスケジュールに関する処理に移行する。
一方、制御部６が、所定のタイムテーブルにおける全てのスケジュールを終了したと判断すると（ステップＳ１０８；Ｙｅｓ）、制御部６は、このタイムテーブルに関するデータを消去し（ステップＳ１０９）、このランプ制御処理を終了する。
【００６７】
このように、本発明に係るプロジェクタ１００は、記憶部６３に記憶される所定のタイムテーブルに基づき、ランプ３の点灯と消灯を自動的に切り替えて、スクリーンＳに投射する映像の表示／非表示を自動的に切り替えることができる。
つまり、プロジェクタ１００による映像表示を行いつつ、複数の発表者がプレゼンテーション（発表）を行うそれぞれのスケジュールに応じて、スクリーンＳに映像を表示するためにランプ３を点灯させるランプ点灯時間と、スケジュール毎に発表者が入れ替わるインターバルであるランプ消灯時間とが組み合わされてなるタイムテーブルを予め設定しておくことにより、各発表者がプレゼンテーションを行う際に表示する映像を自動的に切り替えることができるので、発表者が発表を開始する際にランプ３を点灯させたり、発表終了時にランプ３を消灯させたりするような、プロジェクタ１００を操作する手間を省くことができる。また、予め設定されたタイムテーブルに沿うように、プロジェクタ１００は所定のスケジュール通りに映像の表示を行うことができる。
そして、例えば、各発表者に与えられた発表時間である制限時間を経過した場合に、ランプ３が消灯することにより、そのプレゼンテーション（発表）を終了させることができるので、予定のスケジュール通りにその発表をスムーズに進行させることができる。
更に、発表者が入れ替わるインターバルでは、ランプ３を消灯することにより、電気エネルギーを節約することができる。
また、各発表者は、その制限時間内にプレゼンテーションを行うことになるので、制限時間内に行った発表内容に基づいて公平な審査を受けやすくなるメリットがある。
【００６８】
また、このプロジェクタ１００は、その発表時間であるランプ３の点灯時間を延長する機能を有しているが、その延長処理は次の発表を始める開始時間をずらすことのない範囲で、ランプ３の点灯時間、映像の表示時間を延長するようになっているので、その後の発表者の発表を妨げることなくスケジュールを進行させることができる。
【００６９】
また、プロジェクタ１００は、予め記憶部６３に、基本タイムテーブルを有しているので、その基本タイムテーブルに沿ったスケジュールに従う映像の表示を行うことができるとともに、その基本タイムテーブルにおけるランプ３の点灯時間や消灯時間を必要に応じて変更することにより所望するタイムテーブルを容易に作成し設定することができる。
つまり、発表者の人数や、各発表時間が異なるような場合でも、基本タイムテーブルに基づき所望するタイムテーブルを設定することによって、プロジェクタ１００は、様々なスケジュールに対応する映像表示を行うことができる。
【００７０】
また、プロジェクタ１００は、所定の外部機器であるパーソナルコンピュータにおいて設定されたタイムテーブルの入力を受け付けて、そのタイムテーブルを記憶部６３に記憶することができるので、タイムテーブルなどのデータを作成する操作性のよいパーソナルコンピュータにおいて、様々なタイムテーブルを容易に作成、設定し、そのタイムテーブルを利用し、ランプ３のオン／オフ制御、映像の表示／非表示制御を実行することができる。
【００７１】
なお、以上の実施の形態においては、タイムテーブルにおけるスケジュールの数は１０個の場合を例に説明したが、本発明はこれに限定されるものではなく、タイムテーブルに設定することができるスケジュールの数は任意であり、また、ランプ３の点灯時間や消灯時間も任意である。
【００７２】
また、その他、具体的な細部構造等についても適宜に変更可能であることは勿論である。
【図面の簡単な説明】
【００７３】
【図１】本発明に係るプロジェクタを示す斜視図である。
【図２】本発明に係るプロジェクタの要部構成を示すブロック図である。
【図３】プロジェクタの操作部を示す正面図である。
【図４】スクリーンに表示されるタイムテーブルに関する表示画面の一例を示す説明図である。
【図５】タイムテーブルに関する表示画面の一例を示す説明図である。
【図６】タイムテーブルに関する表示画面の一例を示す説明図である。
【図７】タイムテーブルに関する表示画面の一例を示す説明図である。
【図８】タイムテーブルに従って、プロジェクタがランプのオン／オフを切り替える動作処理の一例を示すフローチャートである。
【符号の説明】
【００７４】
１      映像入力部（タイムテーブルデータ入力手段）
２      操作部
２５    上下左右スイッチ
２６    プレゼンスイッチ
２７    延長スイッチ
３      ランプ（光源ランプ）
４      ＤＭＤ
５      レンズ
６      制御部（ランプ制御手段、タイムテーブル設定手段、時計時刻計時手段、ランプ制御開始時刻設定手段）
６１    ＣＰＵ
６２    ＲＡＭ
６３    記憶部（記憶手段）
６３ａ  タイムテーブルデータ
６３ｂ  ランプ制御プログラム
６３ｆ  操作指示実行プログラム
７      通信部（タイムテーブルデータ入力手段）
１０    リモコン
１００  プロジェクタ（投射型映像表示装置）
Ｇ１、Ｇ２、Ｇ３  タイムテーブル設定・表示画面
Ｒ１〜Ｒ７  設定条件入力欄
Ｓ      スクリーン
【図１】
2007178635.tif 000003
【図２】
2007178635.tif 000004
【図３】
2007178635.tif 000005
【図４】
2007178635.tif 000006
【図５】
2007178635.tif 000007
【図６】
2007178635.tif 000008
【図７】
2007178635.tif 000009
【図８】
2007178635.tif 000010